(57)【要約】【課題】ライン状のＬＥＤ照明装置の、光の配向を制御する。【解決手段】光源部１２を覆うカバー１４が、照明装置１０の内部構造への異物の進入を防ぐ。又、カバー１４を乳白色等半透明の素材で成形することで、外部からカバー１４内部の構造が視認されることを防止し、ＬＥＤ１６が輝度の高い点状光源であることに起因する眩しさやグレア感を回避する。配向制御板２４を一方向に保持する支持部２６が、カバー１４の内面に設けられ、支持部２６により、カバー１４に対する配向制御板２４の保持がなされる。このため、光源部１２とカバー１４との間の空間を、配向制御板２４の配置スペースとして利用し、外観形状を大きくすることなく、一方向に延びる光源部１２のＬＥＤ１６からの出射光に対し、所望の配向制御を行うことが可能となる。【選択図】図１
2015084296.tif 000002
【特許請求の範囲】
【請求項１】
ＬＥＤを光源として一方向に延びる光源部と、前記一方向に延び前記光源部を覆うカバーと、を含む照明装置であって、該光源部からの出射光の出射方向前方に配置され、前記一方向に延びる一対の対向する主面を有して前記出射光の配向を制御する配向制御板を備え、かつ、前記カバーの内面に、前記配向制御板を前記一方向に保持する支持部が設けられていることを特徴とする照明装置。
【請求項２】
前記支持部が、前記一方向に延びるようにして設けられていることを特徴とする請求項１記載の照明装置。
【請求項３】
前記配向制御板の主面が平面視で長四角状に形成され、該四角状の外形の、少なくとも長辺端縁部の近傍部位が前記支持部に保持されていることを特徴とする請求項１又は２記載の照明装置。
【請求項４】
前記支持部は、前記配向制御板の前記一方向と直交する方向の両端が、各々挿通されるチャンネル状断面部を備えることを特徴とする請求項１から３のいずれか１項記載の照明装置。
【請求項５】
前記支持部は、前記光源部からの出射光の光軸方向に、複数段設けられていることを特徴とする請求項１から４のいずれか１項記載の照明装置。
【請求項６】
前記支持部は、前記配向制御板の一方の主面の全面と対面するように設けられた搭載面部と、前記配向制御板の他方の主面の、少なくとも長辺端縁部の近傍部位において対面するように設けられた突起部と、を有することを特徴とする請求項１から５のいずれか１項記載の照明装置。
【請求項７】
前記カバーは、前記光源部を覆う平板状部を有し、前記配向制御板は、前記一対の主面の一方が、前記平板状部と対面するように配置されていることを特徴とする請求項１から６のいずれか１項記載の照明装置。
【請求項８】
前記光源部を構成するＬＥＤが、前記一方向と直交する方向に沿って複数列に配置されていることを特徴とする請求項１から７のいずれか１項記載の照明装置。
【請求項９】
前記配向制御板は、光源部を構成するＬＥＤの各列に対応した複数列に分割して配置され、
前記カバーには、各列の配向制御板を保持する支持部が設けられていることを特徴とする請求項８記載の照明装置。
【請求項１０】
前記カバーには、前記光源部から前記配向制御板に向かって開放する方向に傾斜する傾斜面を有する反射板が、前記一方向に沿って配置れていることを特徴とする請求項１から９のいずれか１項記載の照明装置。
【請求項１１】
前記カバーは押出成形品であることを特徴とする請求項１から１０のいずれか１項記載の照明装置。
【発明の詳細な説明】
【技術分野】
【０００１】
本発明は、ライン状のＬＥＤ照明装置に関するものである。
【背景技術】
【０００２】
今日の省エネルギー化への要請により、照明装置の電力消費量の低減が進められており、蛍光灯に代えてＬＥＤを光源に使用した照明装置が普及している。又、一方向に延びる直管型の蛍光灯に代わるライン状のＬＥＤ照明装置として、複数のＬＥＤが線状に並べられた照明装置も開発されている（例えば、特許文献１参照）。
【０００３】
このような照明装置について、図４を例に説明する。照明装置１００は、一方向に延びる光源部１２と、光源部１２からの出射光の出射方向前方に、光源部１２が延びる方向へと配置されるカバー１４とを含むものである。光源部１２は、複数のＬＥＤ１６と、複数のＬＥＤ１６が線状に並べられた状態で実装される基板１８と、基板１８を保持するフレーム２０とを含むものである。又、カバー１４は、光源部１２を覆うように、半円形断面形状を有している。なお、カバー１４の両端部は、端板２２によって塞がれている。
【先行技術文献】
【特許文献】
【０００４】
【特許文献１】特開２０１１−２８９４６号公報
【発明の概要】
【発明が解決しようとする課題】
【０００５】
ところで、従来の蛍光灯を用いた照明装置では、多様な照明空間に対応するために、光の配向を様々に調整したものが用いられている。本発明の課題は、従来型照明装置と同様に、線状に並べられた複数のＬＥＤを光源とするライン状のＬＥＤ照明装置においても、光の配向を所定の角度範囲或いは所定の方向に制御することにより、多様な照明空間への対応を可能とすることにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）ＬＥＤを光源として一方向に延びる光源部と、前記一方向に延び前記光源部を覆うカバーと、を含む照明装置であって、該光源部からの出射光の出射方向前方に配置され、前記一方向に延びる一対の対向する主面を有して前記出射光の配向を制御する配向制御板を備え、かつ、前記カバーの内面に、前記配向制御板を前記一方向に保持する支持部が設けられている照明装置（請求項１）。
本項に記載の照明装置は、ＬＥＤを光源として一方向に延びる光源部を覆うカバーが、照明装置の内部構造にまで異物（昆虫等）が進入することを防ぐものとなる。又、カバーを乳白色等半透明の素材、例えば、プラスチック等の樹脂材料で成形することとすれば、外部からカバー内部の構造が視認されることを防止し、更には、ＬＥＤが輝度の高い点状光源であることに起因する眩しさやグレア感を回避するものとなる。
【０００８】
又、光源部（のＬＥＤ）からの出射光の出射方向前方に配置され、一方向に延びる一対の対向する主面を有して出射光の配向を制御する配向制御板により、光源部からの出射光の配向を、所定の角度範囲或いは所定の方向に制御するものである。なお、配向制御板には、必要とされる配向に応じて、反射板やレンズ等の配向制御部材が用いられる。
しかも、配向制御板を一方向に保持する支持部が、カバーの内面に設けられていることで、光源部とカバーとの間の空間を、配向制御板の配置スペースとして利用するものとなる。このため、ＬＥＤを光源として一方向に延びる光源部と、光源部を覆うカバーとを基本構成に含む照明装置において、その外観形状を大きくすることなく、一方向に延びる光源部からの出射光に対し、所望の配向制御が行われるものとなる。
【０００９】
（２）上記（１）項において、前記支持部が、前記一方向に延びるようにして設けられている照明装置（請求項２）。
本項に記載の照明装置は、カバーの内面に設けられた、配向制御板を一方向に保持する支持部が、一方向に延びるようにして設けられていることで、支持部の延びる範囲において、光源部に対する配向制御板の位置決めが、より確実に行われるものとなる。
【００１０】
（３）上記（１）（２）項において、前記配向制御板の主面が平面視で長四角状に形成され、該四角状の外形の、少なくとも長辺端縁部の近傍部位が前記支持部に保持されている照明装置（請求項３）。
本項に記載の照明装置は、配向制御板の主面が平面視で長四角状に形成され、この四角状の外形の、少なくとも長辺端縁部の近傍部位が支持部に保持されることにより、光源部に対する配向制御板の位置決めが確実になされ、光源部からの出射光の配向を、配向制御板によって所定の角度範囲或いは所定の方向に制御するものとなる。
なお、支持部は、必要とされる配向に応じて、配向制御板を、光源部からの出射光の光軸と直交する面上に配置する、すなわち配向制御板の主面の法線を、光軸と平行に配置するものであっても良い。又、配向制御板の主面の法線が、光軸に対して傾斜するように配置するものであっても良い。
【００１１】
（４）上記（１）から（３）項において、前記支持部は、前記配向制御板の前記一方向と直交する方向の両端が、各々挿通されるチャンネル状断面部を備える照明装置（請求項４）。
本項に記載の照明装置の支持部は、配向制御板の、一方向と直交する方向の両端の端縁部位（配向制御板の主面が平面視で長四角状に形成されている場合には、長辺端縁部。）が、各々挿通されるチャンネル状断面部に嵌まり込むことで、配向制御板の保持がなされ、光源部に対する配向制御板の位置決めが行われるものとなる。
【００１２】
（５）上記（１）から（４）項において、前記支持部は、前記光源部からの出射光の光軸方向に、複数段設けられている照明装置（請求項５）。
本項に記載の照明装置は、支持部が、光源部からの出射光の光軸方向に複数段設けられていることで、必要とされる配向に応じて、配向制御板を保持する支持部を選択して用い、光源部に対する配向制御板の距離の適切化を図るものである。
【００１３】
（６）上記（１）から（５）項において、前記支持部は、前記配向制御板の一方の主面の全面と対面するように設けられた搭載面部と、前記配向制御板の他方の主面の、少なくとも長辺端縁部の近傍部位において対面するように設けられた突起部と、を有する照明装置（請求項６）。
本項に記載の照明装置は、支持部が、配向制御板の一方の主面と対面するように設けられた搭載面部によって、配向制御板の一方の主面の全面が保持されることで、配向制御板の全体の位置決め及び保持が確実になされるものとなる。そして、載置面部と、配向制御板の他方の主面の、少なくとも長辺端縁部の近傍部位において対面するように設けられた突起部とによって、チャンネル状断面部が構成される。このチャンネル状断面部に、配向制御板の端縁部位が嵌まり込むことで、配向制御板の保持がなされ、光源部に対する配向制御板の位置決めが行われるものとなる。
又、載置面部がカバーと同様に、乳白色等半透明の素材により構成されていれば、外部からカバー内部の構造が視認されることをより確実に防止することができる。また、光源部からの出射光の拡散が、カバー（の覆い部）と載置面部との双方によって二重に行われることから、ＬＥＤが輝度の高い点状光源であることに起因する眩しさやグレア感をより効果的に回避するものとなる。更に、光の拡散機能を有する載置面部の厚みを調整することで、光の拡散の程度を適切に設定し得るものとなる。
【００１４】
（７）上記（１）から（６）項において、前記カバーは、前記光源部を覆う平板状部を有し、前記配向制御板は、前記一対の主面の一方が、前記平板状部と対面するように配置されている照明装置（請求項７）。
本項に記載の照明装置は、カバーが光源部を覆う平板状部を有し、配向制御板の、一対の主面の一方が、平板状部と対面するように配置されることで、配向制御板の一方の主面が、平板状部に対し広範囲に渡って保持され、配向制御板の全体の位置決め及び保持が確実になされるものとなる。又、カバーが配向制御板に倣った平板状の断面形状となることから、光源部に対するカバーの突出量が抑えられ、照明装置全体としての薄型化を図るものとなる。
【００１５】
（８）上記（１）から（７）項において、前記光源部を構成するＬＥＤが、前記一方向と直交する方向に沿って複数列に配置されている照明装置（請求項８）。
本項に記載の照明装置は、光源部を構成するＬＥＤが、一方向と直交する方向に沿って複数列に配置されることで、光源部を構成するＬＥＤの数が列数に応じて増大し、光源部の照度を高めるものとなる。
【００１６】
（９）上記（１）から（８）項において、前記配向制御板は、光源部を構成するＬＥＤの各列に対応した複数列に分割して配置され、前記カバーには、各列の配向制御板を保持する支持部が設けられている照明装置（請求項９）。
本項に記載の照明装置は、配向制御板が、上記（８）の光源部を構成するＬＥＤの、各列に対応した複数列に分割して配置されることから、配向制御板毎に配向特性を変えることで、照明装置全体での配向特性の多様化が図られる。又、カバーには、各列の配向制御板を保持する支持部が設けられていることにより、全体として一体の配向制御板よりも小さく区分けされた配向制御板毎に、支持部によって保持することとなる。このため、配向制御板自体に要求される強度が低減され、配向制御板の薄型化を促進するものとなる。
【００１７】
又、本項における保持部は、光源部を構成するＬＥＤの各列に対応した複数列に分割して配置されている配向制御板を、各々保持するものとなる。このため、カバーの内面に設けられた支持部として、例えば上記（４）項のごとく、配向制御板の一方向と直交する方向の両端が各々挿通されるチャンネル状断面部を、配向制御板の数に応じた複数対だけ有するものである。そして、カバーの内面から直接的に突出する支持部のみならず、カバーの内面から突設（垂設）するリブ等の支持構造を設け、この支持構造に、カバーの内面から直接的に突出する支持部と対向する支持部を配置することで、各配向制御板を、光源部とカバーとの間の空間に保持するものである。
【００１８】
（１０）上記（１）から（９）項において、前記カバーには、前記光源部から前記配向制御板に向かって開放する方向に傾斜する傾斜面を有する反射板が、前記一方向に沿って配置されている照明装置（請求項１０）。
本項に記載の照明装置は、カバーの一方向に沿って、光源部から配向制御板に向かって開放する方向に傾斜する傾斜面を有する反射板が配置されていることで、光源部の光軸に対して傾いた方向に出射される光を、反射板によって反射するものとなる。反射板によって反射された光は、配向制御板へと向かい、所定の方向へと集光される光量を増大させるものとなる。
【００１９】
（１１）上記（１）から（１０）項において、前記カバーは押出成形品である照明装置（請求項１１）。
本項に記載の照明装置のカバーは、押出成形品であることにより、一方向に押出成形する際に、カバーの内面に、一方向に延びるようにして支持部を一体成形し得るものとなる。
ところで、本発明では、光源部から出射された光の配向制御に、一方向に延びる一対の主面を有する配向制御板を用いている。このため、配向制御板の保持機構として、一方向に延びる形態の支持部を適用することができる。したがって、一方向に延びる支持部が内部に一体化されたカバー（同方向に延びるカバー）の形成に、従来構造のカバーの成形に一般的に用いられている押出成形法をそのまま適用することができる。言い換えれば、本発明によれば、外観形状だけではなく、カバーの製法も従来と変えることなく、光の配向の制御が可能なライン状のＬＥＤ照明装置を実現できる。
【発明の効果】
【００２０】
本発明はこのように構成したので、線状に並べられた複数のＬＥＤを光源とするライン状のＬＥＤ照明装置において、光の配向を所定の角度範囲或いは所定の方向に制御することにより、多様な照明空間への対応が可能となる。
【図面の簡単な説明】
【００２１】
【図１】本発明の実施の形態に係る照明装置を模式的に示すものであり、（ａ）は斜視図、（ｂ）は（ａ）の断面図、（ｃ）は（ｂ）の応用例を示す断面図である。
【図２】（ａ）から（ｃ）は、本発明の実施の形態に係る照明装置の、応用例を示す断面図である。
【図３】（ａ）から（ｃ）は、本発明の実施の形態に係る照明装置の、更に別の応用例を示す断面図である。
【図４】従来の照明装置を示すものであり、（ａ）は斜視図、（ｂ）は（ａ）の要部を拡大して示した分解図である。
【発明を実施するための形態】
【００２２】
以下、本発明の実施の形態を図面に基づいて説明する。本説明において、従来技術と同一部分、若しくは相当する部分については、同一符号を付して詳しい説明を省略する。
本発明の実施の形態に係る面状照明装置１０についても、図４に示される従来の面状照明装置１００と同様の全体構成を有しており、図１（ａ）（ｂ）に示されるように、一方向に延びる光源部１２と（本説明では、光源部１２が直線状に延びる方向を「一方向」という。）、光源部１２からの出射光の出射方向前方に配置され、光源部１２と同様に一方向に延びるカバー１４とを含むものである。光源部１２は、複数のＬＥＤ１６と、複数のＬＥＤ１６が線状に並べられた状態で実装される基板１８と、基板１８を保持するフレーム２０とを含むものである。又、カバー１４は、光源部１２を覆うように、半円形断面形状を有している。そして、カバー１４の両端部は、端板２２によって塞がれている。
【００２３】
更に、本発明の実施の形態では、光源部１２のＬＥＤ１６からの出射光の、出射方向前方に配置される配向制御板２４と、カバー１４の内面に設けられた、配向制御板２４を保持する支持部２６とを備えている。以下に、各構成要素について詳しく説明する。
又、本説明において、光源部１２を構成するＬＥＤ１６の出射方向前方を「前方」といい、これとは反対の方向を「後方」という。
【００２４】
光源部１２を構成するＬＥＤ１６は、例えば、青色発光ＬＥＤチップを、硬質シリコーン系樹脂中に黄色発光の蛍光体であるセリウムで付活されたイットリウム・アルミニウム・ガーネット（ＹＡＧ）微粒子を混入した透光性樹脂で封止した構造の白色ＬＥＤが用いられるが、他のＬＥＤであっても良い。又、基板１８は、一方向に延びる光源部１２の全長に渡りＬＥＤ１６を配置するように、光源部１２の全長に対応して、適宜複数の実装基板を連結して構成されたものである。図示の例では、基板１８に実装されたＬＥＤ１６は、フレーム２０上に載置された状態で、ＬＥＤ１６の出射光の出射方向前方に延びる光軸が、光源部１２の幅方向（短手方向）中心部を通る法線（中心軸）と、一致するように配置されている。しかしながら、必要な配向に応じ、ＬＥＤ１６の光軸が、光源部１２の中心軸に対して傾斜するように配置する場合もあれば、光源部１２の中心軸からずれるように配置する場合もある。
フレーム２０は、例えば亜鉛鋼板を板金加工することにより成形されるものであり、基板１８を載置するための平板部２０ａと、平板部２０ａの短手方向の両端を後方に折り曲げて形成される一対の縦壁部２０ｂとを有している。そして、フレーム２０の平板部２０ａの後方面側が、図示しない照明器具の筐体に取付けられる。
【００２５】
カバー１４は、例えば、光を拡散する乳白色材料（一例として、光拡散材を含有させたポリカーボネート）又は透明材料を用いて構成されている。そして、光源部１２を覆う半円状（円弧状）断面を有する覆い部１４ａと、覆い部１４ａの短手方向両端から、後方へと延びる一対の縦壁部１４ｂと、一対の縦壁部１４ｂの後方端縁部から、覆い部１４ａの短手方向内側へ張り出すように形成された、一対の張出部１４ｃとを備えている。
カバー１４の覆い部１４ａの内側面には、一方向に延びるようにして設けられた一対のリブ２６ａ、２６ｂによって、支持部２６が構成されている。リブ２６ａ、２６ｂの間には、チャンネル状断面部２６ｃが形成され、チャンネル状断面部２６ｃに配向制御板２４が挿通されている。カバー１４を押出成形により成形する場合には、覆い部１４ａ、一対の縦壁部１４ｂ、張出部１４ｃ及び支持部２６は、全て一方向に延びるようにして、一体に押出成形される。一方、カバー１４を押出成形以外の手法により成形し、若しくは、支持部２６を別工程で形成することとすれば、支持部２６を、一方向に向けて点状又は千鳥配置状に間隔を空けて複数設けることも可能である。
【００２６】
そして、カバー１４が光源部１２のフレーム２０と組み合わされた状態で、カバー１４の一対の縦壁部１４ｂが、フレーム２０の一対の縦壁部２０ｂと対向し、カバー１４の一対の張出部１４ｃが、フレーム２０の一対の縦壁部２０ｂの後端部へと回りこむようにして、一対の縦壁部２０ｂと係合するものである。又、例えば、カバー１４の一対の縦壁部１４ｂと、フレーム２０の一対の縦壁部２０ｂとがネジ止めされることで、光源部１２とカバー１４とが一体に固定される。
なお、カバー１４の覆い部１４ａの内側面に設けられた支持部２６は、光源部１２のＬＥＤ１６に対して、配向制御板２４が最適の配向特性を発揮する位置となるように、設けられている。
【００２７】
配向制御板２４は、ＬＥＤ１６から前方に向けて出射された光の配向を制御するための、薄板状の部材であり、図示の例では、一対の主面が平面視で長四角状に形成されている。ただし、本発明では、配向制御板２４の平面視形状は、長四角状に限定されない。又、配向制御板２４は、照明装置１０の全長に応じて、適宜複数枚に分割されていても良い。
そして、一対の主面の少なくとも一方には、一方向に延びる複数のリニアプリズムが形成された平面レンズ（典型的には、リニアフレネルレンズ）を構成するものである。このような平面レンズを配向制御板２４に用いる場合には、複数のリニアプリズムの断面形状を調整することにより、ＬＥＤ１６からの出射光の配向を制御することが可能となる。なお、配向制御板２４は、四角状の外形の、少なくとも長辺端縁部の近傍部位が、支持部２６のチャンネル状断面部２６ｃに対して、一方向の一端側から挿入されることで、カバー１４に保持され、光源部１２に対して所定の位置に位置決めされるものである。ただし、本発明では、配向制御板２４の短辺端縁部の近傍部位を、支持部２６のチャンネル状断面部２６ｃに対して挿入する構成を排除するものではない。
【００２８】
以下に、図１（ｂ）に示される照明装置１０Ａの応用例について説明する。各応用例において、図１（ｂ）の照明装置１０Ａと同一部分、若しくは相当する部分については、同一符号を付して、詳しい説明を省略する。
図１（ｃ）に示される照明装置１０Ｂは、図１（ｂ）の照明装置１０Ａの支持部２６を、光源部１２のＬＥＤ１６からの出射光の光軸方向に、複数段設けたものである。具体的には、支持部２６は、リブ２６ａ、２６ｂ及び２６ｄの間に、配向制御板２４が挿通される、チャンネル状断面部２６ｃ、２６ｅが形成されているものである。カバー１４を押出成形により成形する場合には、支持部２６を構成するリブ２６ａ、２６ｂ及び２６ｄを、光源部１２の幅方向中心部を通る法線（中心軸）に沿って形成し、必要に応じ、更に多段に形成することとしても良い。
【００２９】
図２（ａ）に示される照明装置１０Ｃは、図１（ｂ）の照明装置１０Ａの、支持部２６を構成するリブ２６ａを、配向制御板２４の一方の主面の全面と対面する搭載面部２６ｆに置換したものである。一方、図１（ｂ）の照明装置１０Ａと同様に、リブ２６ｂについては、配向制御板２４の他方の主面の、少なくとも長辺端縁部の近傍部位において対面するように、突起部として設けている。カバー１４を押出成形により成形する場合には、載置面部２６ｆについても、覆い部１４ａと同様に、乳白色等半透明又は透明の素材により、一体成形されるものとなる。
又、照明装置１０Ｃを、カバー１４の覆い部１４ａが下方を向けて用いるような場合（例えば、天井に装着する場合）には、載置面部２６ｆ上に配向制御板２４が載置された態様となり、支持部２６からの配向制御板２４の脱落を確実に防ぐものとなる。
【００３０】
図２（ｂ）に示される照明装置１０Ｄは、図１（ｂ）の照明装置１０Ａの、覆い部１４ａを、光源部１２を覆う平板状部１４ａ’として構成したものである。そして、配向制御板２４の、一対の主面の一方が、平板状部１４ａ’と対面するように配置されるものである。又、図示の例における平板上部１４ａ’は、図２（ａ）に示される照明装置１０Ｃの、搭載面部２６ｆとしても機能するものである。
又、照明装置１０Ｄは、カバー１４が配向制御板２４に倣った平板状の断面形状となることから、光源部１２に対するカバー１４の突出量が抑えられ、照明装置１０Ａ全体としての薄型化を図るものとなる。又、照明装置１０Ｄは、カバー１４の一対の縦壁部１４ｂが、光源部１２の幅方向中心部を通る法線と平行に延びることから、配向制御板１４の、光源部１２の幅方向（短手方向）の寸法を、最大限、すなわち、照明装置１０Ｄ幅方向の全幅に渡るように拡大するものともなる。なお、平板状部１４ａ’を、図１（ｂ）の照明装置１０Ａの覆い部１４ａとの中間的な形態、すなわち、平板状部１４ａ’の少なくとも一部を、なだらかなアール断面形に構成することとしても良い。
【００３１】
図２（ｃ）に示される照明装置１０Ｅは、図１（ｂ）の照明装置１０Ａの、光源部１２を構成するＬＥＤ１６が、一方向と直交する方向に沿って複数列に配置されているものである。図示の例では、ＬＥＤ１６Ａ、１６Ｂの二列が、基板１８Ａ、１８Ｂに実装されて、フレーム２０の平板部２０ａ上で、光源部１２の中心軸から等距離となる位置に、設けられている。
なお、照明装置１０Ｅは、ＬＥＤ１６Ａ、１６Ｂを列毎に出射方向を変えるようにして配置することとしても良い。この場合、光源部１２の中心軸を基準として対称な二方向に光を出射するように配向分布を設定する、いわゆるバットウイング配向や、非対称な二方向（中心軸に対して非対称）に光を出射する配向等、任意の配向を容易に生成するものとなる。
【００３２】
図３（ａ）に示される照明装置１０Ｆは、図２（ｃ）に示される照明装置１０Ｅの更なる応用例である。具体的には、光源部１２を構成するＬＥＤ１６Ａ、１６Ｂの各列に対応した、複数列に分割して配置された配向制御板２４Ａ、２４Ｂを備えるものである。そして、カバー１４の内面には、各列の配向制御板２４Ａ、２４Ｂを保持する支持部２６が設けられている。本例における支持部は、図１（ｂ）の照明装置１０Ａの支持部２６と同様に、配向制御板２４が挿通されるリブ２６ａ、２６ｂを備え、更に、リブ２６ｇ、２６ｈが、カバー１４の内面から突設（垂設）するリブ等の支持構造２６ｊに保持されている。そして、各列の配向制御板２４Ａ、２４Ｂの、光源部１２の中心軸に対して外側に位置する長辺端縁部の近傍部位が、リブ２６ａ、２６ｂに保持され、光源部１２の中心軸側（内側）に位置する長辺端縁部の近傍部位が、リブ２６ｇ、２６ｈに保持されている。
なお、各列の配向制御板２４Ａ、２４Ｂは、必要な配向に応じ、一種類の配向レンズを線対称、或いは、１８０°回転対象に配置することとしても良い。
【００３３】
図３（ｂ）に示される照明装置１０Ｇは、図２（ｂ）及び図３（ａ）の技術思想を更に組み合わせたものである。具体的には、光源部１２を構成するＬＥＤ１６Ａ、１６Ｂの各列に対応した、複数列に分割して配置された配向制御板２４Ａ、２４Ｂを備えると共に、図１（ｂ）の照明装置１０Ａの、覆い部１４ａを、光源部１２を覆う平板状部１４ａ’として構成したものである。
又、図３（ａ）に示される照明装置１０Ｆとの比較において、支持構造２６ｊの長さが短くなることから、支持構造２６ｊによって、ＬＥＤ１６Ａ、１６Ｂからの出射光の進行が妨げられるような配向分布の場合に、出射光の進行が妨げられる度合いを低減させるものともなる。かかる利点は、ＬＥＤ１６の配列数が増加するほど大きく得られるものとなる。また、支持構造２６ｊの長さが短くなることから、支持構造２６ｊの機械的強度を確保し易くなる。
【００３４】
図３（ｃ）に示される照明装置１０Ｈは、図１（ｂ）の照明装置１０Ａのカバー１４に、光源部１２から配向制御板２４に向かって開放する方向に傾斜する傾斜面を有する反射板２８が、一方向に沿って配置されているものである。なお、図示の反射板２８は、カバー１４と別体構造となっているが、カバー１４を押出成形により成形する場合には、一体成形することも可能である。
反射板２８は、覆い部１４ａと同様に、乳白色等半透明又は透明の素材に成形しても良く、いわゆる２色成形により、覆い部１４ａと異なる材料を利用することも可能である。後者の場合、例えば、より反射率の高い白色樹脂を用いることも可能となる。又、反射板２８の断面形状も、図示の如く単純な傾斜面のみならず、湾曲した断面形状であっても良い。更には、図２（ｂ）に示される照明装置１０Ｄに適用することも可能である。
【００３５】
さて、上記構成をなす、本発明の実施の形態によれば、次のような作用効果を得ることが可能である。
すなわち、光源部１２を覆うカバー１４が、照明装置１０の内部構造にまで異物が進入することを、防ぐものとなる。又、カバー１４を乳白色等半透明の素材で成形することとすれば、外部からカバー１４内部の構造が視認されることを防止し、更には、ＬＥＤ１６が輝度の高い点状光源であることに起因する、眩しさやグレア感を回避することができる。又、光源部１２のＬＥＤ１６からの出射光の出射方向前方に配置され、かつ、一方向に延びる一対の対向する主面を有して出射光の配向を制御する配向制御板２４により、光源部１２のＬＥＤ１６からの出射光の配向を、所定の角度範囲或いは所定の方向に制御することが可能となる。
【００３６】
しかも、配向制御板２４を一方向に保持する支持部２６が、カバー１４の内面に設けられていることで、光源部１２とカバー１４との間の空間を、配向制御板２４の配置スペースとして利用することが可能となる。このため、光源部１２と、光源部１２を覆うカバー４とを基本構成に含む照明装置１０において、その外観形状を大きくすることなく、一方向に延びる光源部１２のＬＥＤ１６からの出射光に対し、所望の配向制御を行うことが可能となる。
又、カバー１４の内面に設けられた、配向制御板２４を一方向に保持する支持部２６が、一方向に延びるようにして設けられていることで、支持部２６が延びる範囲において、光源部１２のＬＥＤ１６に対する配向制御板２４の位置決めを、より確実に行うことが可能となる。
【００３７】
又、配向制御板２４の主面が平面視で長四角状に形成され、この四角状の外形の、少なくとも長辺端縁部の近傍部位が支持部２６に保持されることにより、光源部１２のＬＥＤ１６に対する配向制御板２４の位置決めが確実になされ、ＬＥＤ１６からの出射光の配向を、配向制御板２４によって、所定の角度範囲或いは所定の方向に制御することが可能となる。
【００３８】
又、図１（ｂ）に示されるように、配向制御板２４の、一方向と直交する方向の両端の端縁部位が、各々挿通されるチャンネル状断面部２６ｃに嵌まり込むことで、配向制御板２４の保持がなされ、光源部１２のＬＥＤ１６に対する配向制御板２４の位置決めが、確実に行われるものとなる。
又、図１（ｃ）に示されるように、支持部２６が、光源部１２のＬＥＤ１６からの出射光の光軸方向に複数段設けられていることで、必要とされる配向に応じて、配向制御板２４を保持する支持部を選択して用い、光源部１２のＬＥＤ１２６に対する、配向制御板２４の距離の適切化を図ることが可能となる。
【００３９】
又、図２（ａ）に示されるように、支持部２６が、配向制御板２４の一方の主面と対面するように設けられた搭載面部２６ｆによって、配向制御板２４の一方の主面の全面が保持されることで、配向制御板２４の全体の位置決め及び保持が確実になされることとなる。そして、載置面部２６ｆと、配向制御板２４の他方の主面の、少なくとも長辺端縁部の近傍部位において対面するように設けられた突起部２６ｂとによって、チャンネル状断面部２６ｃが構成される。このチャンネル状断面部２６ｃに、配向制御板２４の端縁部位が嵌まり込むことで、配向制御板２４の保持がなされ、光源部１２のＬＥＤ１６に対する配向制御板２４の位置決めが、確実に行われるものとなる。
又、載置面部２６ｆがカバー１４と同様に、乳白色等半透明の素材により構成されていれば、外部からカバー内部の構造が視認されることを確実に防止することができる。また、光源部１２のＬＥＤ１６からの出射光の拡散が、カバー１４の覆い部１４ａと載置面部２６ｆとの双方によって二重に行われ、ＬＥＤが輝度の高い点状光源であることに起因する眩しさやグレア感をより効果的な回避するものとなる。更に、光の拡散機能を有する載置面部２６ｆの厚みを調整することで、光の拡散の程度を適切に設定することが可能となる。
【００４０】
又、図２（ｂ）に示されるように、カバー１４が光源部１２を覆う平板状部１４ａ’を有し、配向制御板２４の、一対の主面の一方が、平板状部１４ａ’と対面するように配置されることで、配向制御板２４の一方の主面が、平板状部１４ａ’に対し広範囲に渡って保持される。このため、配向制御板２４の全体の位置決め及び保持が確実になされるものとなる。又、カバー１４が配向制御板２４に倣った平板状の断面形状となることから、光源部１２に対するカバー１４の突出量が抑えられ、照明装置１０Ｄ全体としての薄型化を図るものともなる。
【００４１】
又、図２（ｃ）に示されるように、光源部１２を構成するＬＥＤ１６Ａ、１６Ｂが、一方向と直交する方向に沿って複数列に配置されることで、ＬＥＤ１６Ａ、１６Ｂの数が列数に応じて増大し、光源部の照度を高めるものとなる。
【００４２】
又、図３（ａ）（ｂ）に示されるように、配向制御板２４Ａ、２４Ｂが、ＬＥＤ１６Ａ、１６Ｂの、各列に対応した複数列に分割して配置されることから、配向制御板２４Ａ、２４Ｂ毎に配向特性を変えることで、照明装置１０全体での配向特性の多様化を図ることが可能となる。又、図２（ｃ）に示されるような、全体として一体の配向制御板２４よりも小さく区分けされた配向制御板毎２４Ａ、２４Ｂを、支持部２６によって保持することとなる。このため、配向制御板２４Ａ、２４Ｂ自体に要求される強度が低減され、配向制御板２４Ａ、２４Ｂの薄型化を促進することが可能となる。又、配向制御板２４Ａ、２４Ｂの成形も容易となる。
【００４３】
又、保持部２６は、複数列に分割して配置されている配向制御板２４Ａ、２４Ｂを、各々保持するものとなる。このため、カバー１４の内面に設けられた支持部２６として、カバー１４の内面から直接的に突出する支持部２６（リブ２６ａ、２６ｂ）のみならず、カバーの内面から突設（垂設）するリブ等の支持構造２６ｊを設け、この支持構造２６に、カバーの内面から直接的に突出する支持部と対向する支持部２６（リブ２６ｇ、２６ｈ）を配置することで、各配向制御板２４Ａ、２４Ｂを、光源部１２とカバー１４との間の空間に、保持することが可能となる。
【００４４】
又、図３（ｃ）に示されるように、カバー１４の一方向に沿って、光源部１２から配向制御板２４に向かって開放する方向に傾斜する傾斜面を有する、反射板２８が配置されていることで、光源部１２のＬＥＤ１６の光軸に対して傾いた方向に出射される光を、反射板２８によって反射することが可能となる。そして、反射板２８によって反射された光は、配向制御板２４へと向かい、所定の方向へと集光される光量を増大させることが可能となる。
又、照明装置１０のカバー１４が押出成形品であることにより、一方向に押出成形する際に、カバー１４の内面に、一方向に延びるようにして支持部２６を一体成形することが可能となり、カバー１４の製造コストを低減することが可能となる。
【符号の説明】
【００４５】
１０、１０Ａ、１０Ｂ、１０Ｃ、１０Ｄ、１０Ｅ、１０Ｆ、１０Ｇ、１０Ｈ：照明装置、  １２：光源部、１４：カバー、１６：ＬＥＤ、２０：フレーム、２４：配向制御板、２６：支持部、２６ｂ：リブ（突起部）、  ２６ｃ、２６ｅ：チャンネル状断面部、２６ｆ：搭載面部、２８：反射板
【図１】
2015084296.tif 000003
【図２】
2015084296.tif 000004
【図３】
2015084296.tif 000005
【図４】
2015084296.tif 000006